(57)【要約】【課題】同一の位置に、少なくとも２つの表示パターンを表示できると共に、クリック感も良好とすること。【解決手段】基板２０と、基板２０上に配置された複数のスイッチ素子３０および点発光素子４０と、基板に対向配置された導光板５０と、を少なくとも有し、導光板５０のうち、少なくとも複数のスイッチ素子３０から選択される１つのスイッチ素子３０に対向し、かつ、押釦領域Ｓ１、Ｓ２内において、導光板５０の基板２０が配置された側の面５０Ｂ上に、開口部６２を有する遮光層６０が設けられ、導光板５０の、内部、裏面５０Ｂ、および、操作面５０Ｔ、から選択される少なくともいずれかの部位に、コア層５２を進行する光を操作面５０Ｔ側へと反射および／または散乱させる表示パターン形成部５６が設けられている押釦スイッチ用部材、ならびに、これを用いたキーパッドおよび電子機器。【選択図】図１
2011249176.tif 000002
【特許請求の範囲】
【請求項１】
基板と、
該基板の片面側に配置された１つ以上のスイッチ素子と、
上記基板の上記スイッチ素子が配置された面側に配置された１つ以上の点発光素子と、
上記基板の上記スイッチ素子が配置された面側に対向して配置された導光板と、を少なくとも有し、
上記導光板のうち、少なくとも、上記導光板の平面方向の一領域内において、
上記導光板の上記基板が配置された側の面上に、開口部を有する遮光層が設けられ、
上記導光板の、内部、上記基板が配置された側の面、および、上記基板が配置された側と反対側の面、から選択される少なくともいずれかの部位に、上記導光板内を進行する光の進行方向を、上記導光板の上記基板が配置された側と略反対側の方向に変更する機能を有する表示パターン形成部が設けられていることを特徴とする押釦スイッチ用部材。
【請求項２】
請求項１に記載の押釦スイッチ用部材において、
前記導光板の平面方向の一領域が、
前記１つ以上のスイッチ素子から選択される１つのスイッチ素子に対向し、かつ、１つの押釦部分に対応する領域であることを特徴とする押釦スイッチ用部材。
【請求項３】
請求項１または２に記載の押釦スイッチ用部材において、
上記導光板の上記基板が配置された側と反対側の面上に、上記１つ以上のスイッチ素子の各々に対応する透光性のキートップが設けられていることを特徴とする押釦スイッチ用部材。
【請求項４】
請求項１〜３のいずれか１つに記載の押釦スイッチ用部材において、
前記導光板の前記基板が配置された側の面に、半透光層と、前記遮光層とがこの順に設けられていることを特徴とする押釦スイッチ用部材。
【請求項５】
請求項１〜３のいずれか１つに記載の押釦スイッチ用部材において、
前記導光板の前記基板が配置された側と反対側の面上に、半透光層が設けられていることを特徴とする押釦スイッチ用部材。
【請求項６】
請求項５に記載の押釦スイッチ用部材において、
前記表示パターン形成部と、前記開口部とが、前記導光板の平面方向に対して、少なくとも部分的に重複するように配置されていることを特徴とする押釦スイッチ用部材。
【請求項７】
請求項６に記載の押釦スイッチ用部材において、
前記導光板の平面方向に対して、前記表示パターン形成部と、前記開口部とが略重複する位置に配置され、
前記開口部内において、前記導光板の前記基板が配置された側の面上に、ドット状パターン、ライン状パターン、網目状パターン、および、これらを２種類以上組み合わせた複合パターン、ならびに、これらパターンを反転表示したパターンから選択されるパターンを有する開口部内遮光層が設けられ、
前記表示パターン形成部が、ドット状パターン、ライン状パターン、網目状パターン、および、これらを２種類以上組み合わせた複合パターン、ならびに、これらパターンを反転表示したパターンから選択されるパターンで、形成され、かつ、
前記導光板の平面方向に対して、前記開口部内遮光層と重複する領域内のみに前記表示パターン形成部が配置されていることを特徴とする押釦スイッチ用部材。
【請求項８】
請求項１〜５のいずれか１つに記載の押釦スイッチ用部材において、
上記表示パターン形成部が、上記導光板の平面方向において、上記開口部と重複しない位置に設けられていることを特徴とする押釦スイッチ用部材。
【請求項９】
請求項１〜８のいずれか１つに記載の押釦スイッチ用部材において、
前記点発光素子を２つ以上有し、かつ、個々の点発光素子毎に選択的に発光可能なことを特徴とする押釦スイッチ用部材。
【請求項１０】
請求項９に記載の押釦スイッチ用部材において、
一の点発光素子と、他の点発光素子との間に、互いの照射光を遮光する遮光壁が配置されていることを特徴とする押釦スイッチ用部材。
【請求項１１】
請求項１〜１０のいずれか１つに記載の押釦スイッチ用部材を備えたことを特徴とするキーパネル。
【請求項１２】
請求項１〜１０のいずれか１つに記載の押釦スイッチ用部材を備えたことを特徴とする電子機器。
【請求項１３】
請求項１２に記載の電子機器において、
電子機器が携帯電話であることを特徴とする電子機器。
【発明の詳細な説明】
【技術分野】
【０００１】
本発明は、押釦スイッチ用部材、キーパネルおよび電子機器に関するものである。
【背景技術】
【０００２】
押釦スイッチ用部材における押釦部分の文字等の表示方式としては、裏面に配置されたＬＥＤ等により照光することで、文字等を表示する照光方式が知られている。このような照光方式の押釦スイッチ用部材としては、たとえば、押釦層の下方に多層状に配置された複数の指示ユニットを備え、各指示ユニットは、発光素子と、この発光素子と組み合わされ、かつ、一方の表面に模様層が設けられた導光素子とを有するものが提案されている。この押釦スイッチ用部材では、模様層が、ボタン位置に対応する複数の模様を有するため、同一ボタン位置に異なるボタン画像を表示するマルチモード表示が可能である（特許文献１参照）。この特許文献１に記載の押釦スイッチ用部材では、マルチモード表示を可能とするために、押釦スイッチ用部材の厚み方向に、２つの層状の導光素子が配置されたり、層状の導光素子と層状の発光素子とが配置される。
【先行技術文献】
【特許文献】
【０００３】
【特許文献１】実用新案登録第３１４３５４１号公報（請求項１、図１、図２、図４、要約書等）
【発明の概要】
【発明が解決しようとする課題】
【０００４】
しかしながら、特許文献１に記載の押釦スイッチ用部材では、押釦スイッチ用部材の操作面と、押圧力を入力信号に変換するスイッチ素子との間に、２つの厚みのある層状の部材、すなわち、導光板のような層状の導光素子や、ＥＬシートのような層状の発光素子が存在する。このため、操作面とスイッチ素子との間に、導光板やＥＬシートのように、厚みのある層状の部材が、１層のみ存在する従来の押釦スイッチ用部材と比べて、クリック感が悪くなる。
【０００５】
本発明は、上記事情に鑑みてなされたものであり、同一の位置に、少なくとも２つの表示パターンを表示できると共に、クリック感も良好な押釦スイッチ用部材、ならびに、これを用いたキーパネルおよび電子機器を提供することを課題とする。
【課題を解決するための手段】
【０００６】
上記課題は以下の本発明により達成される。すなわち、
本発明の押釦スイッチ用部材は、基板と、基板の片面側に配置された１つ以上のスイッチ素子と、基板のスイッチ素子が配置された面側に配置された１つ以上の点発光素子と、基板のスイッチ素子が配置された面側に対向して配置された導光板と、を少なくとも有し、導光板のうち、少なくとも、導光板の平面方向の一領域内において、導光板の基板が配置された側の面上に、開口部を有する遮光層が設けられ、導光板の、内部、基板が配置された側の面、および、基板が配置された側と反対側の面、から選択される少なくともいずれかの部位に、導光板内を進行する光の進行方向を、導光板の基板が配置された側と略反対側の方向に変更する機能を有する表示パターン形成部が設けられていることを特徴とする。
【０００７】
本発明の押釦スイッチ用部材の一実施態様は、導光板の平面方向の一領域が、１つ以上のスイッチ素子から選択される１つのスイッチ素子に対向し、かつ、１つの押釦部分に対応する領域であることが好ましい。
【０００８】
本発明の押釦スイッチ用部材の他の実施態様は、導光板の基板が配置された側と反対側の面上に、１つ以上のスイッチ素子の各々に対応する透光性のキートップが設けられていることが好ましい。
【０００９】
本発明の押釦スイッチ用部材の他の実施態様は、導光板の基板が配置された側の面に、半透光層と、遮光層とがこの順に設けられていることが好ましい。
【００１０】
本発明の押釦スイッチ用部材の他の実施態様は、導光板の基板が配置された側と反対側の面上に、半透光層が設けられていることが好ましい。
【００１１】
本発明の押釦スイッチ用部材の他の実施態様は、表示パターン形成部と、開口部とが、導光板の平面方向に対して、少なくとも部分的に重複するように配置されていることが好ましい。
【００１２】
本発明の押釦スイッチ用部材の他の実施態様は、導光板の平面方向に対して、表示パターン形成部と、開口部とが略重複する位置に配置され、開口部内において、導光板の基板が配置された側の面上に、ドット状パターン、ライン状パターン、網目状パターン、および、これらを２種類以上組み合わせた複合パターン、ならびに、これらパターンを反転表示したパターンから選択されるパターンを有する開口部内遮光層が設けられ、表示パターン形成部が、ドット状パターン、ライン状パターン、網目状パターン、および、これらを２種類以上組み合わせた複合パターン、ならびに、これらパターンを反転表示したパターンから選択されるパターンで、形成され、かつ、導光板の平面方向に対して、開口部内遮光層と重複する領域内のみに表示パターン形成部が配置されていることが好ましい。
【００１３】
本発明の押釦スイッチ用部材の他の実施態様は、表示パターン形成部が、導光板の平面方向において、開口部と重複しない位置に設けられていることが好ましい。
【００１４】
本発明の押釦スイッチ用部材の他の実施態様は、点発光素子を２つ以上有し、かつ、個々の点発光素子毎に選択的に発光可能なことが好ましい。
【００１５】
本発明の押釦スイッチ用部材の他の実施態様は、一の点発光素子と、他の点発光素子との間に、互いの照射光を遮光する遮光壁が配置されていることが好ましい。
【００１６】
本発明のキーパネルは、本発明の押釦スイッチ用部材を備えたことを特徴とする。
【００１７】
本発明の電子機器は、本発明の押釦スイッチ用部材を備えたことを特徴とする。
【００１８】
本発明の電子機器の一実施態様は、電子機器が携帯電話であることが好ましい。
【発明の効果】
【００１９】
以上に説明したように本発明によれば、同一の位置に、少なくとも２つの表示パターンを表示できると共に、クリック感も良好な押釦スイッチ用部材、ならびに、これを用いたキーパネルおよび電子機器を提供することができる。
【図面の簡単な説明】
【００２０】
【図１】本実施形態の押釦スイッチ用部材の一例を示す模式断面図である。
【図２】図１に示す押釦スイッチ用部材の表示動作の一例を示す模式平面図である。ここで、図２（Ａ）は、点発光素子および導光板用光源を発光させた状態について示したものであり、図２（Ｂ）は、導光板用光源のみを発光させた状態について示したものであり、図２（Ｃ）は、点発光素子のみを発光させた状態について示したものであり、図２（Ｄ）は、点発光素子および導光板用光源のいずれも発光させない状態について示したものである。
【図３】本実施形態の押釦スイッチ用部材の他の例を示す模式断面図である。
【図４】本実施形態の押釦スイッチ用部材の他の例を示す模式断面図である。
【図５】図４に示す押釦スイッチ用部材の表示動作の一例を示す模式平面図である。ここで、図５（Ａ）は、点発光素子および導光板用光源を発光させた状態について示したものであり、図５（Ｂ）は、導光板用光源のみを発光させた状態について示したものであり、図５（Ｃ）は、点発光素子のみを発光させた状態について示したものであり、図５（Ｄ）は、点発光素子および導光板用光源のいずれも発光させない状態について示したものである。
【図６】本実施形態の押釦スイッチ用部材の他の例を示す模式断面図である。
【図７】図６に示す押釦スイッチ用部材の表示動作の一例を示す模式平面図である。ここで、図７（Ａ）は、点発光素子および導光板用光源を発光させた状態について示したものであり、図７（Ｂ）は、導光板用光源のみを発光させた状態について示したものであり、図７（Ｃ）は、点発光素子のみを発光させた状態について示したものであり、図７（Ｄ）は、点発光素子および導光板用光源のいずれも発光させない状態について示したものである。
【図８】本実施形態の押釦スイッチ用部材の他の例を示す模式断面図である。
【図９】図８に示す押釦スイッチ用部材の表示動作の一例を示す模式平面図である。ここで、図９（Ａ）は、導光板用光源のみを発光させた状態について示したものであり、図９（Ｂ）は、点発光素子のみを発光させた状態について示したものであり、図９（Ｃ）は、点発光素子および導光板用光源のいずれも発光させない状態について示したものである。
【図１０】本実施形態の押釦スイッチ用部材の他の例を示す模式断面図である。
【図１１】図１０に示す押釦スイッチ用部材の表示パターン形成部および開口部内遮光層の導光板の平面方向に対する相対的位置関係の一例を示す拡大断面図である。
【図１２】図１０に示す押釦スイッチ用部材の表示動作の一例を示す模式平面図である。ここで、図１２（Ａ）は、導光板用光源のみを発光させた状態について示したものであり、図１２（Ｂ）は、点発光素子のみを発光させた状態について示したものであり、図１２（Ｃ）は、点発光素子および導光板用光源のいずれも発光させない状態について示したものである。
【図１３】本実施形態の押釦スイッチ用部材の他の例を示す模式平面図である。ここで、図１３（Ａ）は、導光板用光源のみを発光させた状態について示したものであり、図１３（Ｂ）は、遮光壁の一方の側に配置された点発光素子のみを発光させた状態について示したものであり、図１３（Ｃ）は、遮光壁の他方の側に配置された点発光素子のみを発光させた状態について示したものである。
【図１４】図１３に示す押釦スイッチ用部材の断面構造の一例を示す模式断面図である。
【図１５】本実施形態の電子機器の一例を示す外観図である。
【発明を実施するための形態】
【００２１】
＜押釦スイッチ用部材＞
本実施形態の押釦スイッチ用部材は、基板と、基板の片面側に配置された１つ以上のスイッチ素子と、基板のスイッチ素子が配置された面側に配置された１つ以上の点発光素子と、基板のスイッチ素子が配置された面側に対向して配置された導光板と、を少なくとも有し、導光板のうち、少なくとも、導光板の平面方向の一領域内において、導光板の基板が配置された側の面上に、開口部を有する遮光層が設けられ、導光板の、内部、基板が配置された側の面、および、基板が配置された側と反対側の面、から選択される少なくともいずれかの部位に、導光板内を進行する光の進行方向を、導光板の基板が配置された側と略反対側の方向に変更する機能を有する表示パターン形成部が設けられていることを特徴とする。
【００２２】
本実施形態の押釦スイッチ用部材では、押釦スイッチ用部材の厚み方向において導光板が配置された側の面（操作面）と、スイッチ素子との間に、押釦スイッチの操作性という観点で、クリック感を低下させる方向に作用する実質的に厚みのある部材は、１層の導光板のみである。このため、操作面とスイッチ素子との間に、押釦スイッチの操作性という観点で、クリック感を低下させる方向に作用する実質的に厚みのある部材が２層存在する特許文献１に記載の押釦スイッチ用部材と比べて、良好なクリック感が得られる。これに加えて、導光板の平面方向の一領域には、（１）点発光素子を発光させることにより、遮光層に設けた開口部を光が通過するため、開口部の形状に対応する表示パターンが表示でき、また、（２）導光板内に光を導入することで、導光板内を通過する光が表示パターン形成部にて操作面側へと散乱および／または反射されることで、導光板の平面方向における表示パターン形成部の輪郭形状に対応する表示パターンが表示できる。このため、上記（１）または（２）に示す表示モードを選択することで、導光板の平面方向の一領域に、２つの表示パターンを別々に表示できる。なお、「導光板の平面方向の一領域」とは、導光板の平面方向において、任意の位置・面積・形状を有する領域を意味するが、通常は、「押釦スイッチ用部材が有する１つ以上のスイッチ素子から選択される１つのスイッチ素子に対向し、かつ、１つの押釦部分に対応する領域（１つの押釦領域）」であることが好ましい。ここで、「１つの押釦部分に対応する領域（１つの押釦領域）」とは、導光板の平面方向に対して、１つのスイッチ素子が配置された位置を中心として、当該スイッチ素子の近傍も含む領域を意味する。なお、以下の説明においては、特に説明の無い限り、導光板の平面方向の一領域が、１つの押釦領域であることを前提として説明する。
【００２３】
なお、上記（１）および（２）に示す表示モードを同時に選択して２つの表示パターンを同時に表示してもよい。この場合、２つの表示パターンを同時に表示することで、２つの表示パターンの組み合わせにより新たな意味が生じる場合は、合計で３つの表示パターンを表示できるといえる。具体例としては、開口部による表示パターンが”１”であり、表示パターン形成部による表示パターンが”０”であり、両者を同時に左右に並べて表示することで”１０”と表示される場合、あるいは、開口部による表示パターンが”−”であり、表示パターン形成部による表示パターンが”｜”であり、両者を同時に重ね合わせて表示することで”＋”と表示される場合などが一例として挙げられる。
【００２４】
なお、１つの押釦領域に２つの表示パターンの一方のみを表示する表示モード、１つの押釦領域に２つの表示パターンの他方のみを表示する表示モード、および、１つの押釦領域に２つの表示パターンを同時に表示する表示モード、を適宜選択して切り替え表示が可能なマルチ表示は、押釦スイッチ用部材が、２つ以上の押釦部分に対応する領域（２つ以上の押釦領域）を有している場合、少なくとも１つの押釦領域で行うことができればよいが、複数の押釦領域で行うこともでき、全ての押釦領域で行うこともできる。
【００２５】
図１は、本実施形態の押釦スイッチ用部材の一例を示す模式断面図であり、具体的には本実施形態の押釦スイッチ用部材の基本的構成の一例を示す図である。なお、図１に示す例では、押釦スイッチ用部材の一部分（２つの隣り合う押釦領域近傍）について示したものである。
【００２６】
図１に示す押釦スイッチ用部材１０Ａ（１０）は、基板２０と、基板２０の片面（表面２０Ｔ）に配置されたスイッチ素子３０Ａ、３０Ｂと、基板２０の表面２０Ｔに配置された点発光素子４０と、基板２０の表面２０Ｔに対向して配置された導光板５０と、を少なくとも有する。なお、図１に示す例では、基板２０の表面２０Ｔの一方の側から他方の側（図中の左側から右側）へと、スイッチ素子３０Ａ（３０）、点発光素子４０、および、スイッチ素子３０Ｂ（３０）がこの順に配置されており、点発光素子４０は、スイッチ素子３０Ａとスイッチ素子３０Ｂとの略中間点に位置する。そして、押釦スイッチ用部材１０Ａの平面方向において、スイッチ素子３０Ａが配置された位置を中心としてその近傍の領域が一つの押釦部分に対応する領域（図中、点線Ｄ０と点線Ｄ１とで囲まれた領域（押釦領域Ｓ１））を形成し、スイッチ素子３０Ｂが配置された位置を中心としてその近傍の領域がもう一つの押釦部分に対応する領域（図中、点線Ｄ１と点線Ｄ２とで囲まれた領域（押釦領域Ｓ２））を形成している。ここで、図中、点線で示される押釦領域Ｓ１と押釦領域Ｓ２との境界線Ｄ１上に点発光素子４０が位置している。
【００２７】
また、導光板５０は、コア層５２と、コア層５２の基板２０が配置された側と反対側に位置する上側クラッド層５４Ｔと、コア層５２の基板２０が配置された側に位置する下側クラッド層５４Ｂと、から構成されており、不図示の光源（導光板用光源）から照射される光がコア層５２を通過できるようになっている。なお、導光板用光源は導光板５０の端面側に配置され、押釦スイッチ用部材１０Ａと一体的に設けられていてもよく、押釦スイッチ用部材１０Ａを組み込むキーパネルや電子機器側に設けられているものであってもよい。そして、このコア層５２と、下側クラッド層５４Ｂとの界面には、表示パターン形成部５６Ａ（５６）、および、表示パターン形成部５６Ｂ（５６）が設けられている。なお、図１中、押釦スイッチ用部材１０Ａの平面方向に対して、表示パターン形成部５６Ａは、押釦領域Ｓ１内において、スイッチ素子３０Ａよりもやや左側に設けられており、表示パターン形成部５６Ｂは、押釦領域Ｓ２内において、スイッチ素子３０Ｂよりもやや左側に設けられている。なお、表示パターン形成部５６は、導光板５０内を進行する光（コア層５２内を進行する光）の進行方向を、導光板５０の基板２０が配置された側と略反対側の方向に変更する機能を有するものである。ここで、この光の進行方向の変更は、散乱および反射から選択される少なくとも一方の態様で行われる。以下の説明においては、特に言及無き場合、表示パターン形成部５６は、コア層５２内を通過する光を操作面５０Ｔ側へと散乱する機能を有するものとして説明する。
【００２８】
さらに導光板５０の基板２０が配置された側の面（裏面５０Ｂ）には、遮光層６０が設けられている。この遮光層６０には、開口部６２Ａ（６２）、および、開口部６２Ｂ（６２）が設けられている。なお、図１中、押釦スイッチ用部材１０Ａの平面方向に対して、開口部６２Ａは、押釦領域Ｓ１内において、スイッチ素子３０Ａよりもやや右側に設けられており、表示パターン形成部５６Ｂは、押釦領域Ｓ２内において、スイッチ素子３０Ｂよりもやや右側に設けられている。このため、押釦スイッチ用部材１０Ａの平面方向において、押釦領域Ｓ１内に位置する表示パターン形成部５６Ａおよび開口部６２Ａは互いに重複しない位置に存在し、押釦領域Ｓ２内に位置する表示パターン形成部５６Ｂおよび開口部６２Ｂは互いに重複しない位置に存在する。なお、説明の都合上、図１および後述する図面中において、上側クラッド層５４Ｔおよび下側クラッド層５４Ｂは、導光板５０の厚みの約１／３の厚みを占める部材として図示してある。しかしながら、一般的に導光板５０の厚みは０．１ｍｍ〜０．３ｍｍ程度であり、上側クラッド層５４Ｔおよび下側クラッド層５４Ｂの厚みは、０．０１ｍｍ〜０．０５ｍｍ程度である。
【００２９】
次に、この押釦スイッチ用部材１０Ａの表示動作について説明する。図２は、図１に示す押釦スイッチ用部材の表示動作の一例を示す模式平面図であり、押釦スイッチ用部材１０Ａの押釦領域Ｓ１を、操作面５０Ｔ側から目視した場合の表示状態について示したものである。ここで、図２における表示状態は、点発光素子４０および導光板５０のコア層５２に光を照射する導光板用光源の発光の有無による明度−暗度の相対的変化について示したものである。
【００３０】
まず、導光板５０のコア層５２に光を導入した場合、コア層５２の下側クラッド層５４側に位置する表示パターン形成部５６Ａにて、光が操作面５０Ｔ側へと散乱される。ここで、表示パターン形成部５６Ａが、数字の”１”を示す表示パターンを成す場合、図２（Ａ）または図２（Ｂ）に示すように押釦領域Ｓ１内の左側に、明るく輝く数字の”１”が表示される。これに対して、導光板５０のコア層５２に光を導入しない場合、図２（Ｃ）または図２（Ｄ）に示すように押釦領域Ｓ１内の左側には、数字の”１”は実質的に表示されない。但し、導光板５０のコア層５２に光を導入しない場合でも、操作面５０Ｔ側からは、薄らと、表示パターン形成部５６Ａの表示パターンである”１”が認識される。
【００３１】
また、点発光素子４０を発光させた場合、点発光素子４０から発せられた光は、開口部６２Ａを経て、操作面５０Ｔ側へと照光される。ここで、開口部６２Ａが、アルファベットの”ａｂｃ”を示す表示パターンを成す場合、図２（Ａ）または図２（Ｃ）に示すように押釦領域Ｓ１内の右側に、明るく輝くアルファベットの”ａｂｃ”が表示される。これに対して、点発光素子４０を発光させない場合、図２（Ｂ）または図２（Ｄ）に示すように押釦領域Ｓ１内の右側には、アルファベットの”ａｂｃ”は実質的に表示されない。但し、点発光素子４０を発光させない場合でも、操作面５０Ｔ側からは、薄らと、開口部６２Ａの表示パターンである”ａｂｃ”が認識される。以下、導光板用光源、および／または、点発光素子４０、を発光させた状態で、表示パターンを明るく輝くように表示させる表示を「照光表示」と称す場合がある。
【００３２】
なお、押釦スイッチ１０Ａでは、押釦スイッチ用部材１０Ａの平面方向において、押釦領域Ｓ１内に位置する表示パターン形成部５６Ａおよび開口部６２Ａは互いに重複しない位置に存在する。このため、図２（Ａ）に示すように、数字の”１”と、アルファベットの”ａｂｃ”とを同時に照光表示しても、各々の表示パターンが重なり合うことなく、別々に表示される。また、図２に示すように、数字の”１”の照光表示および非表示と、アルファベットの”ａｂｃ”の照光表示および非表示と、を組み合わせることにより、双方が照光表示されるダブル表示モード（図２（Ａ））、いずれか一方のみが照光表示されるシングル表示モード（図２（Ｂ）、図２（Ｃ））、ならびに、双方共に実質的に表示されない非表示モード（図２（Ｄ））を実現できる。なお、図２に示す例は、導光板用光源、および、点発光素子４０のＯＮ／ＯＦＦ動作のみを前提とした４つの表示モードを示したものであるが、導光板用光源および／または点発光素子４０の、発光強度を段階的に切り替えたりあるいは発光色を変えることにより、さらに多様な表示モードを実現することもできる。たとえば、導光板用光源および点発光素子４０の双方を発光させる場合でも、一方の発光強度を相対的に強くし、他方の発光強度を相対的に弱くすることができる。この場合、２つの表示パターンを同時に照光表示されると共に、一方の表示パターンを選択的に強調して照光表示できる。
【００３３】
押釦スイッチ１０Ａの押釦操作を行う場合は、操作面５０Ｔの押釦領域Ｓ１、押釦領域Ｓ２の中央部近傍を押圧する。この場合、導光板５０が変形して導光板５０の裏面５０Ｂ側が、スイッチ素子３０Ａ、３０Ｂの頂上部に設けられた押し子３２Ａ（３２）、３２Ｂ（３２）に接触し、これを下方に押圧する。この際、押圧力が、スイッチ素子３０Ａ、３０Ｂにおいて、電気信号に変換され、スイッチ素子３０Ａ、３０Ｂに接続された不図示の配線を介して電子機器の本体部分等に伝達される。なお、押釦操作を阻害しないように、点発光素子４０の高さ（基板２０の厚み方向の長さ）は、押し子３２Ａ、３２Ｂよりも低い位置となるように設定されることが好ましい。
【００３４】
なお、図１に示す押釦スイッチ用部材１０Ａは、操作面５０Ｔ上に、何らの部材も配置されていないため、押釦スイッチ用部材の薄型化に適している。しかしながら、押釦操作時の入力性を向上させる観点からは、導光板５０の操作面５０Ｔ上に、スイッチ素子３０Ａ、３０Ｂの各々に対応する透光性のキートップを設けてもよい。この場合、導光板５０を構成する主材料は、弾性を有する樹脂が用いられる。
【００３５】
図３は、本実施形態の押釦スイッチ用部材の他の例を示す模式断面図であり、具体的には図１に示す押釦スイッチ用部材１０Ａの操作面５０Ｔ上にキートップを設けた場合の一例を示す図である。ここで、図３中、図１に示すものと同様のものについては、同じ符号が付してある。図３に示す押釦スイッチ用部材１０Ｂ（１０）では、押釦領域Ｓ１内の操作面５０Ｔ上に、押釦領域Ｓ１の周縁部以外の領域を占めるようにキートップ７０Ａ（７０）が配置され、押釦領域Ｓ２内の操作面５０Ｔ上に、押釦領域Ｓ２の周縁部以外の領域を占めるようにキートップ７０Ｂ（７０）が配置されている。これらキートップ７０Ａ、７０Ｂは、その断面形状が台形状で透光性を有している。また、２つのキートップ７０Ａ、７０Ｂで覆われていない操作面５０Ｔ上、すなわち、押釦領域Ｓ１と他の押釦領域と、および、押釦領域Ｓ２と他の押釦領域と、の境界線Ｄ０、Ｄ１、Ｄ２近傍の操作面５０Ｔ上には、パネル部材８０が配置されている。なお、パネル部材８０は、操作面５０Ｔの平面方向に対して、表示パターン形成部５６Ａ、５６Ｂ、および、開口部６２Ａ、６２Ｂと重複しない位置に設けられる。
【００３６】
図３に示す押釦スイッチ用部材１０Ｂでは、キートップ７０Ａ、７０Ｂおよびパネル部材８０が導光板５０の操作面５０Ｔ上に配置されているものの、基本的に、図１に示す押釦スイッチ用部材１０Ａと実質同様の照光表示を実現できる。また、各々の押釦領域Ｓ１、Ｓ２に対応するように、キートップ７０Ａ、７０Ｂが配置され、かつ、キートップ７０Ａ、７０Ｂが配置されない部分にはパネル部材８０が配置される。このため、図２（Ｄ）に示すような非照光状態であっても、個々の押釦の位置を視覚的に認識するのが極めて容易である。なお、キートップ７０Ａ、７０Ｂおよびパネル部材８０と、操作面５０Ｔとの間には、接着剤層やその他の層（加飾層など）が設けられていてもよい。
【００３７】
なお、図１に示す押釦スイッチ用部材１０Ａ、および、図３に示す押釦スイッチ用部材１０Ｂでは、図２に示すように、点発光素子４０または導光板用光源が非発光状態であっても、開口部６２Ａ、６２Ｂまたは表示パターン形成部５６Ａ、５６Ｂのパターン形状が薄らと認識される。したがって、点発光素子４０が非発光状態である場合において、開口部６２Ａ、６２Ｂのパターン形状が視覚的に完全に認識できないようにするためには、導光板５０の裏面５０Ｂに、半透光層と、遮光層６０とをこの順に積層して設けることが好ましい。また、点発光素子４０および／または導光板用光源が非発光状態である場合において、開口部６２Ａ、６２Ｂおよび／または表示パターン形成部５６Ａ、５６Ｂのパターン形状が視覚的に完全に認識できないようにするためには、導光板５０の操作面５０Ｔに半透光層を設けることが好ましい。
【００３８】
図４は、本実施形態の押釦スイッチ用部材の他の例を示す模式断面図である。ここで、図４中、図１および図３に示すものと同様のものについては、同じ符号が付してある。図４に示す押釦スイッチ用部材１０Ｃ（１０）は、図３に示す押釦スイッチ用部材１０Ｂの裏面５０Ｂに半透光層９０Ｂを設け、さらにその上に遮光層６０を設けた構成を有するものであり、この点以外は、図３に示す押釦スイッチ用部材１０Ｂと同様の構成を有するものである。
【００３９】
次に、この押釦スイッチ用部材１０Ｃの表示動作について説明する。図５は、図４に示す押釦スイッチ用部材の表示動作の一例を示す模式平面図であり、押釦スイッチ用部材１０Ｃの押釦領域Ｓ１を、導光板５０のキートップ７０Ａ、７０Ｂおよびパネル部材８０が配置された側から目視した場合の表示状態について示したものである。ここで、図５における表示状態は、点発光素子４０および導光板用光源の発光の有無による明度−暗度の相対的変化について示したものである。
【００４０】
まず、導光板５０のコア層５２に光を導入した場合、コア層５２の下側クラッド層５４側に位置する表示パターン形成部５６Ａにて、光が操作面５０Ｔ側へと散乱される。ここで、表示パターン形成部５６Ａが、数字の”１”を示す表示パターンを成す場合、図５（Ａ）または図５（Ｂ）に示すように押釦領域Ｓ１内の左側に、明るく輝く数字の”１”が表示される。これに対して、導光板５０のコア層５２に光を導入しない場合、図５（Ｃ）または図５（Ｄ）に示すように押釦領域Ｓ１内の左側には、数字の”１”は実質的に表示されない。但し、導光板５０のコア層５２に光を導入しない場合でも、操作面５０Ｔ側からは、薄らと、表示パターン形成部５６Ａの表示パターンである”１”が認識される。
【００４１】
また、点発光素子４０を発光させた場合、点発光素子４０から発せられた光は、開口部６２Ａを経て、操作面５０Ｔ側へと照光される。ここで、開口部６２Ａが、アルファベットの”ａｂｃ”を示す表示パターンを成す場合、図５（Ａ）または図５（Ｃ）に示すように押釦領域Ｓ１内の右側に、明るく輝くアルファベットの”ａｂｃ”が表示される。これに対して、点発光素子４０を発光させない場合、図５（Ｂ）または図５（Ｄ）に示すように押釦領域Ｓ１内の右側には、アルファベットの”ａｂｃ”は表示されない。そして、図２（Ｂ）または図２（Ｄ）に例示した場合と異なり、図５（Ｂ）または図５（Ｄ）に示す例では、操作面５０Ｔ側からは、薄らと、開口部６２Ａの表示パターンである”ａｂｃ”が認識されることも無い。
【００４２】
この理由は、押釦スイッチ用部材１０Ｃを、キートップ７０Ａ、７０Ｂが配置された側から観察する観察者と、開口部６２Ａとの間に、半透光層９０Ｂが存在するためである。この結果、操作面５０Ｔ側から導光板５０内へと入射した室内光や自然光の、遮光層６０が存在する部分と、遮光層６０が存在しない部分（開口部６２Ａ）と、における反射率に殆ど差が生じなくなる。それゆえ、点発光素子４０を発光させない場合、操作面５０Ｔ側からは、薄らと、開口部６２Ａの表示パターンである”ａｂｃ”が認識されない。一方、点発光素子４０から発光される光は、開口部６２Ａにおいて、室内光や自然光よりも照度が圧倒的に高い。このため、点発光素子４０が発光した場合は、この光の一部が、開口部６２Ａに位置する、半透光層９０Ｂを透過して、観察者に、明るく輝くアルファベットの”ａｂｃ”として認識されることになる。
【００４３】
図６は、本実施形態の押釦スイッチ用部材の他の例を示す模式断面図である。ここで、図６中、図１、図３および図４に示すものと同様のものについては、同じ符号が付してある。図６に示す押釦スイッチ用部材１０Ｄ（１０）は、図３に示す押釦スイッチ用部材１０Ｂの操作面５０Ｔに半透光層９０Ｔを設け、さらにその上にキートップ７０Ａ、７０Ｂおよびパネル部材８０を設けた構成を有するものであり、この点以外は、図３に示す押釦スイッチ用部材１０Ｂと同様の構成を有するものである。なお、図３に示す例では、半透光層９０Ｔは、操作面５０Ｔに設けられているが、キートップ７０Ａ、７０Ｂの天面および側面、ならびに、パネル部材８０の表面に設けられていてもよい。
【００４４】
次に、この押釦スイッチ用部材１０Ｄの表示動作について説明する。図７は、図６に示す押釦スイッチ用部材の表示動作の一例を示す模式平面図であり、押釦スイッチ用部材１０Ｄの押釦領域Ｓ１を、導光板５０のキートップ７０Ａ、７０Ｂおよびパネル部材８０が配置された側から目視した場合の表示状態について示したものである。ここで、図７における表示状態は、点発光素子４０および導光板用光源の発光の有無による明度−暗度の相対的変化について示したものである。
【００４５】
まず、導光板５０のコア層５２に光を導入した場合、コア層５２の下側クラッド層５４側に位置する表示パターン形成部５６Ａにて、光が操作面５０Ｔ側へと散乱される。ここで、表示パターン形成部５６Ａが、数字の”１”を示す表示パターンを成す場合、図７（Ａ）または図７（Ｂ）に示すように押釦領域Ｓ１内の左側に、明るく輝く数字の”１”が表示される。これに対して、導光板５０のコア層５２に光を導入しない場合、図７（Ｃ）または図７（Ｄ）に示すように押釦領域Ｓ１内の左側には、数字の”１”は表示されない。そして、図２（Ｃ）または図２（Ｄ）に例示した場合と異なり、図７（Ｃ）または図７（Ｄ）に示す例では、操作面５０Ｔ側からは、薄らと、表示パターン形成部５６Ａの表示パターンである”１”が認識されることも無い。
【００４６】
この理由は、押釦スイッチ用部材１０Ｄを、キートップ７０Ａ、７０Ｂが配置された側から観察する観察者と、表示パターン形成部５６Ａとの間に、半透光層９０Ｔが存在するためである。この結果、操作面５０Ｔ側から導光板５０内へと入射した室内光や自然光の、表示パターン形成部５６Ａが存在する部分と、表示パターン形成部５６Ａが存在しない部分と、における反射率に殆ど差が生じなくなる。それゆえ、導光板用光源を発光させない場合、操作面５０Ｔ側からは、薄らと、表示パターン形成部５６Ａの表示パターンである”１”が認識されない。一方、導光板用光源から発光される光は、表示パターン形成部５６Ａにおいて、室内光や自然光よりも照度が圧倒的に高い。このため、導光板用光源が発光した場合は、表示パターン形成部５６Ａにて操作面５０Ｔ側へと散乱された光の一部が、半透光層９０Ｔを透過して、観察者に、明るく輝く数字の”１”として認識されることになる。
【００４７】
また、点発光素子４０を発光させた場合、点発光素子４０から発せられた光は、開口部６２Ａを経て、操作面５０Ｔ側へと照光される。ここで、開口部６２Ａが、アルファベットの”ａｂｃ”を示す表示パターンを成す場合、図７（Ａ）または図７（Ｃ）に示すように押釦領域Ｓ１内の右側に、明るく輝くアルファベットの”ａｂｃ”が表示される。これに対して、点発光素子４０を発光させない場合、図７（Ｂ）または図７（Ｄ）に示すように押釦領域Ｓ１内の右側には、アルファベットの”ａｂｃ”は表示されない。そして、図２（Ｂ）または図２（Ｄ）に例示した場合と異なり、図７（Ｂ）または図７（Ｄ）に示す例では、操作面５０Ｔ側からは、薄らと、開口部６２Ａの表示パターンである”ａｂｃ”が認識されることも無い。この理由は、図４に示した押釦スイッチ用部材１０Ｃの場合と同様に、観察者と、開口部６２Ａとの間に、半透光層９０Ｔが存在するためである。
【００４８】
なお、図１、図３、図４および図６に示す押釦スイッチ用部材１０Ａ，１０Ｂ、１０Ｃ、１０Ｄにおいては、表示パターン形成部５６Ａと開口部６２Ａと、および、表示パターン形成部５６Ｂと開口部６２Ｂとが、導光板５０の平面方向に対して、完全に重複しないように配置されているが、少なくとも部分的に重複するように配置してもよい。たとえば、表示パターン形成部５６Ａと、開口部６２Ａとを、導光板５０の平面方向において、部分的に重複するように配置した場合、押釦領域Ｓ１内の略同じ位置に、表示パターン形成部５６Ａにより形成される表示パターンと、開口部６２Ａにより形成される表示パターンとを照光表示することができる。なお、このような照光表示を行う場合、一方の表示パターンのみを照光表示し、他方の表示パターンを照光表示しない際に、当該他方の表示パターンが薄らと認識されないことが望ましい。明るく光っている一方の表示パターンの背景部分に、薄らと他方の表示パターンが認識されない方が、基本的には、押釦スイッチ用部材のデイザン性をより向上させると共に、明るく光っている一方の表示パターンの視認性もより向上させることができるからである。このような照光表示を実現するためには、本実施形態の押釦スイッチ用部材は、図６に示す押釦スイッチ用部材１０Ｄのように、導光板５０の操作面５０Ｔに半透光層９０Ｔを設けた構成を有することが特に好ましい。
【００４９】
このような構成を採用した場合、押釦領域Ｓ１内に照光表示される２つの表示パターンの押釦領域Ｓ１内における配置位置・表示パターンの大きさの自由度が非常に大きくなる。このため、１つの表示パターンで表示される表示内容を、アルファベットの”ａｂｃ”のみのように、１つの意味のみを有する文字・記号に限定されず、アルファベットおよび数字の組み合わせ”１  ａｂｃ”のように、２つまたはそれ以上の意味を有する文字・記号とすることが容易である。また、押釦領域Ｓ１内に、一方の表示パターンを大きいサイズで照光表示させると同時に、他方の表示パターンも大きいサイズで照光表示させることができ、互いの表示パターンのサイズや押釦領域Ｓ１内の配置位置を考慮せずに、表示パターンの表示内容、サイズ、押釦領域Ｓ１内の表示位置を任意に設定できる。
【００５０】
図８は、本実施形態の押釦スイッチ用部材の他の例を示す模式断面図である。ここで、図８中、図１、図３、図４および図６に示すものと同様のものについては、同じ符号が付してある。図８に示す押釦スイッチ用部材１０Ｅ（１０）は、図６に示す押釦スイッチ用部材１０Ｅにおいて、表示パターン形成部５６Ａと開口部６２Ａと、および、表示パターン形成部５６Ａと開口部６２Ｂとが、導光板５０の平面方向において、部分的に重複するように配置された構成を有するものである。ここで、図８に示す例では、導光板５０の平面方向において、表示パターン形成部５６Ａおよび開口部６２Ａは、共に、押釦領域Ｓ１の中央部に配置され、表示パターン形成部５６Ｂおよび開口部６２Ｂは、共に、押釦領域Ｓ２の中央部に配置されている。そして、導光板５０の平面方向における、表示パターン形成部５６Ａの幅は、開口部６２Ａの幅よりも大きく、表示パターン形成部５６Ｂの幅は、開口部６２Ｂの幅よりも大きい。このため、導光板５０の平面方向において、開口部６２Ａは、表示パターン形成部５６Ａの一部の領域と重複し、開口部６２Ｂは、表示パターン形成部５６Ｂの一部の領域と重複している。なお、以上に説明した点を除けば、図８に示す押釦スイッチ用部材１０Ｅのその他の構成は、図６に示す押釦スイッチ用部材１０Ｄと同様である。
【００５１】
次に、この押釦スイッチ用部材１０Ｅの表示動作について説明する。図９は、図８に示す押釦スイッチ用部材の表示動作の一例を示す模式平面図であり、押釦スイッチ用部材１０Ｅの押釦領域Ｓ１を、導光板５０のキートップ７０Ａ、７０Ｂおよびパネル部材８０が配置された側から目視した場合の表示状態について示したものである。ここで、図９における表示状態は、点発光素子４０および導光板用光源の発光の有無による明度−暗度の相対的変化について示したものである。
【００５２】
まず、点発光素子４０を発光させない状態で、導光板用光源を発光させた場合、コア層５２の下側クラッド層５４側に位置する表示パターン形成部５６Ａにて、光が操作面５０Ｔ側へと散乱される。ここで、表示パターン形成部５６Ａが、数字およびアルファベットの組み合わせからなる”１  ａｂｃ”を示す表示パターンを成す場合、図９（Ａ）に示すように押釦領域Ｓ１内の中央部に、明るく輝く数字およびアルファベットの”１  ａｂｃ”が表示される。なお、この場合、観察者と、開口部６２Ａとの間には、半透光層９０Ｔが存在するため、開口部６２Ａにより形成される表示パターンは、薄らと認識されることもない。
【００５３】
次に、導光板用光源を発光させない状態で、点発光素子４０を発光させた場合、点発光素子４０から発せられた光は、開口部６２Ａを経て、操作面５０Ｔ側へと照光される。ここで、開口部６２Ａが、記号の”＆”を示す表示パターンを成す場合、図９（Ｂ）に示すように、押釦領域Ｓ１内の中央部に、明るく輝く記号の”＆”が表示される。なお、この場合、観察者と、表示パターン形成部５６Ａとの間には、半透光層９０Ｔが存在するため、表示パターン形成部５６Ａにより形成される表示パターンは、薄らと認識されることもない。
【００５４】
また、導光板用光源および点発光素子４０の双方を発光させない場合には、図９（Ｃ）に示すように、何も表示されず、かつ、開口部６２Ａおよび表示パターン形成部５６Ａにより形成される表示パターンが薄らと認識されることもない。なお、図８に示す押釦スイッチ用部材１０Ｅでは、導光板用光源および点発光素子４０の双方を同時に発光させて、照光表示を行うことも可能である。しかしながら、図９に例示したように、一方の表示パターンが”１  ａｂｃ”であり、他方の表示パターンが”＆”であるような場合において、双方を同時に照光表示すると、”１  ａｂｃ”と”＆”とが、押釦領域Ｓ１の中央部において、重複して照光表示されることになる。この場合、押釦領域Ｓ１内に表示された内容は、観察者には、意味不明の記号として認識されることになる。したがって、このような場合、通常は、導光板用光源および点発光素子４０の双方を発光させる態様での照光表示は行わないことが好ましい。
【００５５】
表示パターン形成部５６Ａ、５６Ｂおよび開口部６２Ａ、６２Ｂは、図２、図５、図７および図９に例示したように照光表示したい表示パターンの輪郭線の内側の領域（表示パターンエリア）内の全てを、表示パターン形成部５６Ａ、５６Ｂおよび開口部６２Ａ、６２Ｂとして形成したものとすることができる。しかしながら、表示パターンが、視覚的に意味ある文字、記号、図形等として識別できるのであれば、上述した態様（第一の態様）に限定されない。たとえば、表示パターンエリア外を、表示パターン形成部５６Ａ、５６Ｂおよび開口部６２Ａ、６２Ｂで形成する第二の態様（上述した第一の態様を反転表示した態様）、表示パターンの輪郭線に沿ってライン状の表示パターン形成部５６Ａ、５６Ｂおよび開口部６２Ａ、６２Ｂを形成する第三の態様、あるいは、第三の態様を反転表示した第四の態様を、必要に応じて適宜採用することもできる。
【００５６】
また、第一の態様および第二の態様は、表示パターンエリア内および表示パターンエリア外が完全に塗潰された態様での完全塗潰し表示であるが、表示パターンエリア内および表示パターンエリア外の少なくとも一方が、＜ａ＞ドット状パターン、＜ｂ＞ライン状パターン、＜ｃ＞網目状パターン、および、＜ｄ＞これらを２種類以上組み合わせた複合パターン、ならびに、＜ｅ＞これら＜ａ＞〜＜ｄ＞のパターンを反転表示したパターンなどにより部分的に塗潰された態様での部分的塗潰し表示であってもよい。なお、表示パターンエリア内および表示パターンエリア外の双方を、たとえば、同じドット状パターンで部分的塗潰し表示する場合、表示パターンが認識できるように、表示パターンエリア内と表示パターンエリア外とにおけるドットの配置ピッチ、サイズ等は互いに異なるものとされる。
【００５７】
また、第三の態様および第四の態様は、表示パターンの輪郭線に沿った領域（境界領域）と、輪郭線に沿った部分の外側の領域（外側領域）と、輪郭線に沿った部分の内側の領域（内側領域）とを、各々完全に塗潰した態様での完全塗潰し表示であるが、これら領域の少なくとも１つが、＜ａ＞ドット状パターン、＜ｂ＞ライン状パターン、＜ｃ＞網目状パターン、および、＜ｄ＞これらを２種類以上組み合わせた複合パターン、ならびに、＜ｅ＞これら＜ａ＞〜＜ｄ＞のパターンを反転表示したパターンなどにより部分的に塗潰された態様での部分的塗潰し表示であってもよい。なお、上記３つの領域のうち、隣接するいずれか２つの領域を、たとえば、同じドット状パターンで部分的塗潰し表示する場合、表示パターンが認識できるように、一方の領域と他方の領域とにおけるドットの配置ピッチ、サイズ等は互いに異なるものとされる。
【００５８】
このように、本実施形態の押釦スイッチ用部材では、図１〜図９に例示した完全塗潰し表示以外にも、部分的塗潰し表示を採用することもできる。
【００５９】
なお、導光板５０の平面方向に対して、たとえば、表示パターン形成部５６Ａと開口部６２Ａと、および、表示パターン形成部５６Ｂと開口部６２Ｂとが、略重複するように配置される場合には、本実施形態の押釦スイッチ用部材は以下に示す構成を採用することが特に好ましい。すなわち、この場合、開口部６２Ａ、６２Ｂ内において、導光板５０の基板２０が配置された側の面（裏面５０Ｂ）に、ドット状パターン、ライン状パターン、網目状パターン、および、これらを２種類以上組み合わせた複合パターン、ならびに、これらパターンを反転表示したパターンから選択されるパターンを有する開口部内遮光層が設けられる。また、表示パターン形成部５６Ａ、５６Ｂは、ドット状パターン、ライン状パターン、網目状パターン、および、これらを２種類以上組み合わせた複合パターン、ならびに、これらパターンを反転表示したパターンから選択されるパターンで、形成される。言い換えれば、表示パターン形成部５６Ａ、５６Ｂは、表示パターンエリア内が、ドット状パターン等により部分的に塗潰された表示パターンを形成する。ここで、導光板５０の平面方向に対して、開口部内遮光層と上述した所定のパターンからなる表示パターン形成部５６Ａ、５６Ｂとは、開口部内遮光層と重複する領域内にのみ配置される。
【００６０】
この場合、点発光素子４０から発せられた光が開口部５６Ａ、５６Ｂ内を通過して操作面５０Ｔ側へと通過する場合、裏面５０Ｂに対して略直交するように操作面５０Ｔ側へと通過する光（すなわち、観察者に最も認識されやすい光）は、導光板５０中において、表示パターン形成部５６Ａ、５６Ｂの存在しない領域のみを通過することになる。このため、開口部５６Ａ、５６Ｂ内を通過した光（裏面５０Ｂに対して略直交する成分の光）の一部が、表示パターン形成部５６Ａ、５６Ｂにより散乱されて、表示パターンが部分的に見にくくなるのを防止できる。
【００６１】
図１０は、本実施形態の押釦スイッチ用部材の他の例を示す模式断面図である。ここで、図１０中、図１、図３、図４、図６および図８に示すものと同様のものについては、同じ符号が付してある。図１０に示す押釦スイッチ用部材１０Ｆ（１０）は、押釦領域Ｓ１の中央部に位置するように開口部６２Ａが設けられ、押釦領域Ｓ２の中央部に位置するように開口部６２Ｂが設けられている。ここで、導光板５０の平面方向に対して、表示パターン形成部５６Ａ１（５６）、５６Ｂ１（５６）と、開口部６２Ａ、６２Ｂとが実質的に重複する位置に配置されている。そして、開口部６２Ａ、６２Ｂ内には、ドット状パターンを有する開口部内遮光層６４Ａ（６４）、６４Ｂ（６４）が設けられている。また、表示パターン形成部５６Ａ１、５６Ｂ１も、ドット状パターンで形成されている。すなわち、表示パターン形成部５６Ａ１、５６Ｂ１は、個々のドットの集合体により１つの表示パターンを形成している。なお、以上に説明した点を除けば、図１０に示す押釦スイッチ用部材１０Ｆのその他の構成は、図６に示す押釦スイッチ用部材１０Ｄと同様である。
【００６２】
また、図１１は、図１０に示す押釦スイッチ用部材の表示パターン形成部および開口部内遮光層の導光板の平面方向に対する相対的位置関係の一例を示す拡大断面図であり、具体的には、押釦領域Ｓ１内に位置する表示パターン形成部５６Ａ１および開口部内遮光層６４Ａの導光板５０の平面方向に対する相対的位置関係を示したものである。図１１に示すように、導光板５０の平面方向に対して、ドット状に形成された個々の表示パターン形成部５６Ａ１は、ドット状に形成された開口部内遮光層６４Ａの領域内にのみ配置されている。すなわち、ドット状に形成された開口部内遮光層６４Ａ間、および、ドット状に形成された開口部内遮光層６４Ａと遮光層６０との間を通過するように、裏面５０Ｂ側から操作面５０Ｔ側へと照射される光（図中、符号Ｂで示される領域を通過する裏面５０Ｂに対して略直交する成分の光Ｌ）は、ドット状に形成された表示パターン形成部５６Ａ１には照射されない。このため、光Ｌが、表示パターン形成部５６Ａ１にて散乱されることが無い。
【００６３】
図１２は、図１０に示す押釦スイッチ用部材の表示動作の一例を示す模式平面図であり、押釦スイッチ用部材１０Ｆの押釦領域Ｓ１を、導光板５０のキートップ７０Ａ、７０Ｂおよびパネル部材８０が配置された側から目視した場合の表示状態について示したものである。ここで、図１２における表示状態は、点発光素子４０および導光板用光源の発光の有無による明度−暗度の相対的変化について示したものである。なお、図１２に示す例では、導光板５０の平面方向に対して、ドット状に形成された個々の表示パターン形成部５６Ａ１が、ドット状に形成された開口部内遮光層６４Ａの領域外に配置された場合において、光Ｌが、表示パターン形成部５６Ａ１にて散乱される現象は考慮しないものとして説明する。すなわち、導光板５０の平面方向に対して、ドット状に形成された個々の表示パターン形成部５６Ａ１が、ドット状に形成された開口部内遮光層６４Ａの領域外に配置されていたとしても、光Ｌが、表示パターン形成部５６Ａ１にて散乱されないものと仮定して、説明する。
【００６４】
まず、点発光素子４０を発光させない状態で、導光板用光源を発光させた場合、コア層５２の下側クラッド層５４側に位置する表示パターン形成部５６Ａ１にて、光が操作面５０Ｔ側へと散乱される。ここで、正方形のドットが正方配列されたドット状パターンから構成される表示パターン形成部５６Ａが、アルファベットの”１”を示す表示パターンを成す場合、図１２（Ａ）に示すように押釦領域Ｓ１内の中央部に、明るく輝くアルファベットの”１”がドット状模様で表示される。なお、この場合、観察者と、開口部６２Ａとの間には、半透光層９０Ｔが存在するため、開口部６２Ａにより形成される表示パターンは、薄らと認識されることもない。
【００６５】
次に、導光板用光源を発光させない状態で、点発光素子４０を発光させた場合、点発光素子４０から発せられた光は、開口部６２Ａを経て、操作面５０Ｔ側へと照光される。ここで、開口部６２Ａの輪郭が、アルファベットの”Ａ”を示す表示パターンを成し、かつ、開口部６２Ａ内に設けられた開口部内遮光層６４Ａが、正方形のドットが正方配列されたドット状パターンを反転表示したパターン（すなわち格子状パターン）を成す場合、図１２（Ｂ）に示すように、押釦領域Ｓ１内の中央部に、明るく輝くアルファベットの”Ａ”がドット状模様で表示される。なお、この場合、観察者と、表示パターン形成部５６Ａとの間には、半透光層９０Ｔが存在するため、表示パターン形成部５６Ａにより形成される表示パターンは、薄らと認識されることもない。
【００６６】
また、導光板用光源および点発光素子４０の双方を発光させない場合には、図１２（Ｃ）に示すように、何も表示されず、かつ、開口部６２Ａおよび開口部内遮光層６４Ａ、ならびに、表示パターン形成部５６Ａ１により形成される表示パターンが薄らと認識されることもない。
【００６７】
以上に説明した本実施形態の押釦スイッチ用部材１０には、少なくとも１つの点発光素子４０が設けられていればよいが、２つ以上の点発光素子４０が設けられていることが好ましい。この場合、個々の点発光素子毎に選択的に発光可能とすることにより、多様な照光表示が可能となる。なお、押釦スイッチ用部材１０が２つ以上の点発光素子４０を有する場合、これら２つ以上の点発光素子４０は、全て同色の発光色を有するものでもよく、赤色、緑色および青色の組み合わせのように、２種類以上の互いに異なる発光色を有するものでもよい。この場合、個々の押釦領域Ｓ１、Ｓ２毎に対応させて、所定の色に発光する点発光素子４０を配置してもよく、個々の押釦領域Ｓ１、Ｓ２毎に、ＲＧＢの３原色を選択して照光表示できるように、赤色、緑色および青色に発光する３つの点発光素子４０を配置してもよい。
【００６８】
また、押釦スイッチ用部材１０が２つ以上の点発光素子４０を有し、かつ、個々の点発光素子４０毎に選択的に発光可能な場合、一の点発光素子４０と、他の点発光素子４０との間に、互いの照射光を遮光する遮光壁が配置されていてもよい。この場合も、より多様な照光表示が可能となる。なお、遮光壁は、導光板５０と、基板２０との間に配置することができる。
【００６９】
図１３は、本実施形態の押釦スイッチ用部材の他の例を示す模式平面図であり、具体的には、個々別々に選択的に発光可能な２つ以上の点発光素子と、遮光壁とを備えた押釦スイッチ用部材の一例を示す平面図である。ここで、図１３中、図１、図３、図４、図６、図８および図１０に示すものと同様のものについては同様の符号が付してある。また、図１３中、押釦領域、点発光素子、遮光壁および押釦領域内に表示される表示パターン以外については記載を省略してある。なお、図１３中では、互いに隣接する２つの押釦領域の間は、説明の都合上、隙間が設けられたものとしている。図１３に示すように押釦スイッチ用部材１０Ｇ（１０）は、２行×３列に配置された６つの押釦領域を有している。ここで、１行目には、左から順に押釦領域Ａ１、押釦領域Ａ２、押釦領域Ａ３が配置され、２行目には、左から順に押釦領域Ｂ１、押釦領域Ｂ２、押釦領域Ｂ３が配置されている。また、押釦領域Ａ１と押釦領域Ａ２との境界線部分には、点発光素子４０Ａが配置され、押釦領域Ａ２と押釦領域Ａ３との境界線部分には、点発光素子４０Ｂが配置され、押釦領域Ｂ１と押釦領域Ｂ２との境界線部分には、点発光素子４０Ｃが配置され、押釦領域Ｂ２と押釦領域Ｂ３との境界線部分には、点発光素子４０Ｄが配置されている。さらに、押釦領域Ａ１、押釦領域Ａ２および押釦領域Ａ３と、押釦領域Ｂ１、押釦領域Ｂ２および押釦領域Ｂ３との境界線部分には、遮光壁１００が配置されている。なお、点発光素子４０Ａ、４０Ｂ、４０Ｃ、４０Ｄは、発光状態にある場合は、白丸印として示してあり、非発光状態にある場合は、黒丸印として示してある。
【００７０】
ここで、図１３（Ａ）は、全ての点発光素子４０Ａ、４０Ｂ、４０Ｃ、４０Ｄが非発光状態であり、かつ、導光板用光源を発光させた状態の一例を示したものである。この場合、６つの押釦領域Ａ１、Ａ２、Ａ３、Ｂ１、Ｂ２、Ｂ３の全てにおいて、個々の押釦領域内に設けられた表示パターン形成部５６（図１３中、不図示）に対応する表示パターンの照光表示が行われる。
【００７１】
図１３（Ｂ）は、導光板用光源を発光させない状態で、遮光壁１００の一方の側、すなわち、３つの押釦領域Ａ１、Ａ２、Ａ３が存在する側の点発光素子４０Ａ，４０Ｂのみを発光させた状態の一例を示したものである。この場合、３つの押釦領域Ａ１、Ａ２、Ａ３のみにおいて、これら３つの個々の押釦領域内に設けられた開口部６２（図１３中、不図示）に対応する表示パターンの照光表示が行われる。
【００７２】
図１３（Ｃ）は、導光板用光源を発光させない状態で、遮光壁１００の他方の側、すなわち、３つの押釦領域Ｂ１、Ｂ２、Ｂ３が存在する側の点発光素子４０Ｃ，４０Ｄのみを発光させた状態の一例を示したものである。この場合、３つの押釦領域Ｂ１、Ｂ２、Ｂ３のみにおいて、これら３つの個々の押釦領域内に設けられた開口部６２（図１３中、不図示）に対応する表示パターンの照光表示が行われる。
【００７３】
また、導光板用光源および４つの点発光素子４０Ａ、４０Ｂ、４０Ｃ、４０Ｄのいずれも発光させない場合には、６つの押釦領域Ａ１、Ａ２、Ａ３、Ｂ１、Ｂ２、Ｂ３の全てにおいて、何も表示されない（図１３中、図示省略）。
【００７４】
図１４は、図１３に示す押釦スイッチ用部材の断面構造の一例を示す模式断面図であり、具体的には、図１３（Ａ）中に示すように、押釦領域Ａ２、Ｂ２を分断する符号Ｘ１−Ｘ２で示されるラインの断面を矢印方向に見た場合の断面図について示したものである。ここで、図１４中、図１、図３、図４、図６、図８、図１０および図１３に示すものと同様のものについては、同じ符号が付してある。図１４に示す押釦スイッチ用部材１０Ｇは、基本的に図１０に示す押釦スイッチ用部材１０Ｅとほぼ同様の構成を有するものである。但し、押釦スイッチ用部材１０Ｇでは、互いに隣接する２つの押釦領域Ａ２と押釦領域Ｂ２との境界線Ｄ１上であって、基板２０と導光板５０との間に遮光壁１００が配置されている。この遮光壁１００は、図１４の紙面の手前側から奥側へと連続的に設けられている。また、スイッチ素子３０Ａ，３０Ｂの図１４中の紙面の手前側には、点発光素子４０Ａ、４０Ｃ（図中、不図示）が配置され、スイッチ素子３０Ａ，３０Ｂの図１４中の紙面の奥側には、点発光素子４０Ｂ、４０Ｄ（図中、不図示）が配置されている。このため、点発光素子４０Ａ、４０Ｂから発せられた光は、遮光壁１００により遮光されるため、押釦領域Ｂ２側へと漏れることがない。また、点発光素子４０Ｃ、４０Ｄから発せられた光は、遮光壁１００により遮光されるため、押釦領域Ａ２側へと漏れることがない。
【００７５】
−基板−
次に、本実施形態の押釦スイッチ用部材１０を構成する各部の部材の詳細について説明する。まず、基板２０としては、公知の基板が利用でき、たとえば公知の樹脂材料から構成される基板、樹脂材料に無機フィラーを添加した基板などが利用できる。
【００７６】
−スイッチ素子−
スイッチ素子３０としては、押圧力を電気的信号に変換する機構を有するものであれば公知のスイッチ素子が利用でき、図１等に例示したように、たとえば、押し子３２が頂上部分に設けられたドーム状のスイッチ素子などが利用できる。なお、押し子３２は、スイッチ素子３０の頂上部ではなく、導光板５０の裏面５０Ｂ側に設けてもよい。この場合、押し子は、たとえば、下側クラッド層５４Ｂと一体を成す凸状の部材であってもよい。また、導光板５０の裏面５０Ｂに、押し子シートを設けてもよい。この場合、この押し子シートの表面に遮光層６０が設けられ、必要に応じて開口部内遮光層６４を更に設けてもよい。また、押し子シートの表面に半透光層９０Ｂを設け、さらにその表面に遮光層６０を設けてもよい。
【００７７】
−光源−
点発光素子４０としては、公知の点発光光源が利用でき、たとえば、ＬＥＤ等を利用することができる。また、導光板用光源としては、たとえば、ＬＥＤ等の公知の点発光光源や、蛍光管等の線状発光光源を利用することができる。
【００７８】
−導光板および表示パターン形成部−
導光板５０としては、端面より入射させた光を面発光させることができるものであれば公知の導光板が利用でき、たとえば、図１等に例示したようにコア層５２とクラッド層５４Ｔ、５４Ｂとから構成されるものなどが利用できる。また、表示パターン形成部５６としては、導光板５０内をその平面方向と略平行方向に進行する光の進行方向を、散乱および／または反射により、導光板５０の基板２０が配置された側と略反対側の方向に変更するものであれば特に限定されない。たとえば、図１等に示した例では、コア層５２と下側クラッド層５４Ｔとの界面部分を粗面化することで、コア層５２を通過する光が操作面５０Ｔ側へと散乱されやすくしたり、コア層５２と下側クラッド層５４Ｂとの界面部分に薄い白色のインク層または金属反射膜を設けたりして、コア層５２を通過する光が操作面５０Ｔ側へと反射されやすくしたりすることができる。ここで、コア層５２と下側クラッド層５４Ｔとの界面部分に形成される粗面化部分としては、微細凹部および／または微細凸部を設けることができる。また、白色のインク層は、スクリーン印刷等の公知の印刷方法または公知の塗布方法等を利用して形成でき、金属反射膜は、真空蒸着法またはスパッタリング法等の公知の気相成膜法を利用して形成できる。
【００７９】
なお、表示パターン形成部５６は、上述したような、コア層５２の基板２０側に設けられる粗面化部分、白色インク層あるいは金属反射膜などの、光散乱および／または光反射機能を持つ散乱反射部分と、上側クラッド層５４Ｔ内、操作面５０Ｔまたはコア層５２と上側クラッド層５４Ｔとの界面のいずれかに設けられた遮光パターンから構成されていてもよい。この場合、散乱反射部分は、単に、円状、四角状等で、光を遮光パターン側へと散乱および／または反射させ、遮光パターンが表示部に対応した形状を有することで、表示パターンを表示させることができる。但し、このような構成は、表示パターン形成部５６が、導光板５０の平面方向において、開口部６２と重複しない位置に設けられている場合に採用することが好ましい。導光板５０の平面方向において、開口部６２と重複する位置に、表示パターン形成部５６の一部を形成する遮光パターンが存在すると、開口部６２により形成される表示パターンが照光表示できなくなるためである。なお、遮光パターンは、遮光層６０と同様のものが形成でき、たとえば、操作面５０Ｔ上に、散乱反射部分に対応するように所定の表示パターンを有する遮光膜を形成できる。また、操作面５０Ｔ上にキートップ７０Ａ,７０Ｂやパネル部材８０が設けられる場合、これら部材の底面（操作面５０側の面）または天面に、散乱反射部分に対応するように所定の表示パターンを有する遮光膜を設けることが好ましい。なお、この遮光パターンを形成する遮光膜は、押釦スイッチ用部材１０の表面に背景模様等を表示する加飾層の機能を兼ねていてもよい。
【００８０】
なお、図１等に例示した、上側クラッド層５４Ｔ、コア層５２および下側クラッド層５４Ｂからなる３層構成の導光板５０においては、下側クラッド層５４Ｂは省いてもよい。この場合、遮光層６０が反射層としての機能も有しているか、あるいは、遮光層６０とコア層５２との間に反射層を設けることが好ましい。
【００８１】
また、導光板５０を構成する主材料としては、公知の透光性の樹脂材料が用いられる。この樹脂材料は、たとえば、アクリル樹脂などのように剛性の高い樹脂でもよく、ウレタン樹脂などのように弾性の高い樹脂を有するものでもよい。導光板５０が、ウレタン樹脂等から構成され弾性部材として機能する場合には、押釦スイッチ用部材１０の剛性を確保するために、剛性の高い部材（フレーム部材等）を併用することが好ましい。また、導光板５０の操作面５０Ｔ上に、図３等に例示したように個々独立した１つのキーに対応するキートップ７０を設けたり、複数個のキーが一体的に型成形されたモールドプリントキーを設ける場合には、クリック感を向上させるために、導光板５０は、弾性部材であることが好ましい。なお、本願明細書において、「透光性」とは、可視光域の波長の光に対する透過率が、９０％以上であることを意味し、９５％以上であることが好ましい。
【００８２】
−遮光層−
遮光層６０および開口部内遮光層６４は、少なくとも可視域の波長の光に対する透過率が実質的に０％、すなわち、光を遮光できるものであればその構成は特に限定されないが、オフセット印刷、スクリーン印刷、パッド印刷などの公知の印刷方法もしくは公知の塗装方法等により形成された白色の層（白色層）、または、真空蒸着法もしくはスパッタリング法等の公知の気相成膜法により形成された金属層であることが好ましい。また、遮光層６０が２つ以上の層を積層した構造を有する場合には、導光板５０側および基板２０側の最外層が、白色層または金属層から構成されることが好ましい。
【００８３】
−半透光層−
半透光層９０Ｔ、９０Ｂは、人間の目で見た場合に、自然光や室内光はほぼ完全に遮光すると共に、点発光素子４０および導光板用光源から照射される光は（一定の割合で光吸収されるものの）透過して人間の目で十分に認識させることができる程度の透過率を有するものが用いられる。半透光層９０Ｔ、９０Ｂを構成する材料としては、たとえば、黒色インク、黒色インクと白色インクとの混合インク、または、有色インクを用いて、オフセット印刷、スクリーン印刷、パッド印刷などの公知の印刷方法、または、公知の塗装方法等により形成された層が利用できる。なお、黒色インクなどの明度の低いインクを用いる場合は、インク中に含まれる色材の濃度を低くしたり、あるいは、層厚をより薄くすることで、透過率を調整する。また、半透光層９０Ｔ、９０Ｂは、ハーフミラーとしても機能する層であってもよい。この場合、半透光層９０Ｔ、９０Ｂは、たとえば、真空蒸着法またはスパッタリング法等の公知の気相成膜法により形成された金属膜もしくは金属酸化物膜、または、アルミ粉等の金属粒子もしくは無機粒子に金属酸化物膜や金属膜をコーティングした光輝性顔料を含むインクを用いて、オフセット印刷、スクリーン印刷、パッド印刷などの公知の印刷方法、または、公知の塗装方法等により形成された膜から構成される。
【００８４】
なお、半透光層９０Ｔ、９０Ｂは、上述したように自然光や室内光はほぼ完全に遮光し、かつ、点発光素子４０および導光板用光源から照射される光は、透過する必要がある。この観点からは、半透光層９０Ｔ、９０Ｂの可視光域の波長の光に対する透過率は、通常、５％〜３０％の範囲内が好ましく、７％〜１０％の範囲内がより好ましい。但し、半透光層９０Ｔ、９０Ｂがハーフミラーとしても機能する層である場合、半透光層９０Ｔ、９０Ｂは、操作面５０Ｔ側から入射する室内光や自然光を反射する。このため、点発光素子４０および導光板用光源から照射される光が相対的に視認し難しくなる場合がある。この点を考慮すると、ハーフミラーとしても機能する半透光層９０Ｔ、９０Ｂの透過率は、上述した範囲よりもやや高い範囲であることが好ましく、具体的には、５％〜４０％の範囲内が好ましく、７％〜２０％の範囲内がより好ましい。
【００８５】
−キートップおよびパネル部材−
キートップ７０は、図３等に例示したように１つのキーとして認識できる形状のもの、または、複数のキーとして認識できる形状（１枚のシートに個々のキー部分に対応する複数の凸部等を設けた形状）を成すのであればその形状や材質は特に限定されない。しかしながら、キートップ７０は、一般的には、断面形状が半円形や半楕円形、台形等などのブロック状樹脂が用いられ、このブロック状樹脂は、基材と一体を成すように、または、基材に接着等により固定することで、基材の片面に複数個設けられたものでもよい。但し、キートップ７０としては、光透過性の材料から構成されたものが用いられる。キートップ７０は、たとえば、射出成型や、ＵＶ硬化型樹脂を用いた型転写などにより作製することができる。キートップの作製に用いられる樹脂材料としては、たとえば、ポリカーボネート樹脂やＡＢＳ樹脂（アクリロニトリル・ブタジエン・スチレン共重合樹脂）、ＰＭＭＡ樹脂（ポリメチルメタクリレート樹脂)、ＰＢＴ樹脂（ポリブチレンテレフタレート樹脂）、ＰＡ樹脂（ポリアミド樹脂）、また、ＵＶ硬化型樹脂としてはウレタンアクリレートなどが挙げられる。
【００８６】
また、パネル部材８０は、たとえば、形状が異なる点を除けば、キートップ７０と同様の材料や、形成方法で作製したものが利用できるが特にこれに限定されるものではない。また、パネル部材８０は、透光性であることは必ずしも要求されず、半透明または遮光性を有する部材であってもよい。但し、パネル部材８０の直下に、開口部６２Ａ、６２Ｂ、および／または、表示パターン形成部５６Ａ、５６Ｂが設けられる場合には、パネル部材８０は、透光性であることが好ましい。
【００８７】
＜キーパネルおよび電子機器＞
本実施形態のキーパネルは、少なくとも本実施形態の押釦スイッチ用部材１０を備えたものである。ここで、本願明細書において、「キーパネル」とは操作スイッチを有する操作盤のことである。キーパネルは、スイッチ操作による操作対象となる電子機器本体と一体に設けられたものであってもよいし、スイッチ操作による操作対象となる電子機器本体と物理的に分離して設けられたものであってもよい。なお、後者の場合は、キーパネルと電子機器とが、有線接続されるタイプであってもよいし、キーパネルと電子機器とが赤外線通信などによって信号のやり取りが可能なワイヤレスタイプであってもよい。代表的な例としては、エアーコンディショナ、インターホン、テレビ等のリモートコントローラ、デスクトップタイプのパーソナルコンピューターのキーボードなどに用いられる操作盤が挙げられる。また、キーパネルを備えた電子機器（キーパネルが電子機器本体と一体化した電子機器）としては、電子辞書、携帯電話、電卓、ノートタイプのパーソナルコンピューター、パーソナルディジタルアシスタンス（ＰＤＡ）、ＭＰ３プレーヤ等の音楽再生機能を持つ携帯型プレーヤなどが挙げられる。
【００８８】
本実施形態のキーパネルには、本実施形態の押釦スイッチ用部材１０以外にも、押釦スイッチ用部材１０の端面側に導光板用光源が更に設けられる。本実施形態の電子機器は、上述したキーパネルを電子機器本体と一体的に有するものであればその用途は特に限定されないが、携帯型の電子機器；例えば、携帯電話、電子辞書、ＰＤＡ、ノートタイプのパーソナルコンピューターなどであることが好ましく、特に携帯電話であることが最も好ましい。図１５は、本実施形態の電子機器の一例を示す外観図であり、具体的には携帯電話について示す図である。図１５に示す携帯電話２００は、ディスプレイ部分２０２と本実施形態の押釦スイッチ用部材１０を備えたキーパネルを有する本体部分２０４とから構成されている。
【符号の説明】
【００８９】
１０、１０Ａ、１０Ｂ、１０Ｃ、１０Ｄ、１０Ｅ、１０Ｆ、１０Ｇ  押釦スイッチ用部材
２０  基板
２０Ｔ  表面
３０、３０Ａ、３０Ｂ  スイッチ素子
３２、３２Ａ、３２Ｂ  押し子
４０、４０Ａ、４０Ｂ、４０Ｃ、４０Ｄ  点発光素子
５０  導光板
５０Ｔ  操作面
５０Ｂ  裏面
５２  コア層
５４Ｔ  上側クラッド層
５４Ｂ  下側クラッド層
５６、５６Ａ、５６Ｂ  表示パターン形成部
５６Ａ１、５６Ｂ１  ドット状パターンで形成された表示パターン形成部
６０  遮光層
６２、６２Ａ、６２Ｂ  開口部
６４、６４Ａ、６４Ｂ  開口部内遮光層
７０、７０Ａ、７０Ｂ  キートップ
８０  パネル部材
９０Ｔ、９０Ｂ  半透光層
１００  遮光壁
２００  携帯電話
２０２  ディスプレイ部分
２０４  本体部分
【図１】
2011249176.tif 000003
【図３】
2011249176.tif 000004
【図４】
2011249176.tif 000005
【図６】
2011249176.tif 000006
【図８】
2011249176.tif 000007
【図１０】
2011249176.tif 000008
【図１１】
2011249176.tif 000009
【図１４】
2011249176.tif 000010
【図１５】
2011249176.tif 000011
【図２】
2011249176.tif 000012
【図５】
2011249176.tif 000013
【図７】
2011249176.tif 000014
【図９】
2011249176.tif 000015
【図１２】
2011249176.tif 000016
【図１３】
2011249176.tif 000017